(57)【要約】【課題】開封後に再利用できる包装箱用のシートを提供すること。【解決手段】シートが、周壁部材と、周壁部材に第１方向に沿って間隔をあけて配置された第１開封部および第２開封部とを備える。第１開封部および第２開封部の各々は、第１罫線部と、第１罫線部の一端に接続される第２罫線部と、第１罫線部の他端に接続される第３罫線部と、一端が第２罫線部に接続され、他端が第３罫線部に接続される第４罫線部とを有する。第１開封部の第１罫線部は、第１開封部から第２開封部に向かうにつれて第１罫線部から第４罫線部に向かうように傾斜し、第２開封部の第１罫線部は、第２開封部から第１開封部に向かうにつれて第１罫線部から第４罫線部に向かうように傾斜する。【選択図】図１
0003234405.tif 000002
【実用新案登録請求の範囲】
【請求項１】
板形状を有する周壁部材と、
前記周壁部材にそれぞれ設けられ、第１方向に沿って相互に間隔をあけて配置されている第１開封部および第２開封部と
を備え、
前記第１開封部および前記第２開封部の各々は、
折り曲げ可能に構成され、前記第１方向に沿って延びている第１罫線部と、
破断可能に構成され、前記周壁部材の厚さ方向および前記第１方向に対して交差する第２方向に沿って延びていると共に、前記第２方向の一端部が前記第１罫線部の前記第１方向の一端部に接続されている第２罫線部と、
破断可能に構成され、前記第２方向に沿って延びていると共に、前記第１方向において前記第２罫線部と間隔をあけて配置され、前記第２方向の一端部が前記第１罫線部の前記第１方向の他端部に接続されている第３罫線部と、
破断可能に構成され、前記第１方向に沿って延びていると共に、前記第２方向において前記第１罫線部と間隔をあけて配置され、前記第１方向の一端部が前記第２罫線部の前記第２方向の他端部に接続され、前記第１方向の他端部が前記第３罫線部の前記第２方向の他端部に接続されている第４罫線部と
を有し、
前記第１開封部の第１罫線部は、
前記第１方向において前記第１開封部から前記第２開封部に向かうにつれて、前記第２方向において前記第１罫線部から前記第４罫線部に向かうように傾斜し、
前記第２開封部の第１罫線部は、
前記第１方向において前記第２開封部から前記第１開封部に向かうにつれて、前記第２方向において前記第１罫線部から前記第４罫線部に向かうように傾斜している、包装箱用のシート。
【請求項２】
前記第１開封部および前記第２開封部は、
前記第２方向に沿って延びると共に前記第１開封部および前記第２開封部の前記第１方向の中間に配置された仮想線に対して線対称に配置されている、請求項１に記載のシート。
【請求項３】
前記第１方向における前記第１開封部の前記第２罫線部から前記第２開封部の前記第２罫線部までの長さは、封緘に用いられる封緘部材の幅方向の長さよりも長く、
前記第１方向における前記第１開封部の前記第３罫線部から前記第２開封部の前記第３罫線部までの長さは、前記封緘部材の幅方向の長さよりも短い、請求項１または２に記載のシート。
【請求項４】
前記第１罫線部は、
前記第１方向における前記第１罫線部の中間に配置された切り込みと、
前記切り込みに対する前記第１方向の両側にそれぞれ配置された第１接続部および第２接続部と
を有し、
前記周壁部材の前記第１罫線部、前記第２罫線部、前記第３罫線部、および前記第４罫線部によって取り囲まれた第１部分が、前記周壁部材の前記第１部分の周囲を取り囲む第２部分に対して、前記第１接続部および前記第２接続部を介して接続されている、請求項１から３のいずれか１つに記載のシート。
【請求項５】
前記第２罫線部および前記第３罫線部の各々は、
前記第２方向に沿って間隔をあけてそれぞれ配置された複数の切り込みを有し、
前記第４罫線部は、
前記第１方向に沿って間隔をあけてそれぞれ配置された複数の切り込みを有している、請求項１から４のいずれか１つに記載のシート。
【請求項６】
前記第１開封部および前記第２開封部は、前記周壁部材の前記第２方向の中央よりも、前記周壁部材の前記第２方向の一端側に配置されている、請求項１から５のいずれか１つに記載のシート。
【請求項７】
第１組の前記第１開封部および前記第２開封部と、第２組の前記第１開封部および前記第２開封部とを備え、
前記第１組の前記第１開封部および前記第２開封部が、前記周壁部材の前記第２方向の中央よりも、前記周壁部材の前記第２方向の一端側に配置され、
前記第２組の前記第１開封部および前記第２開封部が、前記周壁部材の前記第２方向の中央よりも、前記周壁部材の前記第２方向の他端側に配置されている、請求項６に記載のシート。
【請求項８】
前記第１罫線部は、前記第２罫線部または前記第３罫線部に対して５５度以上かつ７０度以下の範囲の角度を成している、請求項１から７のいずれか１つに記載のシート。
【考案の詳細な説明】
【技術分野】
【０００１】
本開示は、包装箱用のシートに関する。
【背景技術】
【０００２】
特許文献１には、２組の対向側板と、対向側板の下端に連設された底板形成用フラップと、対向側板の上端に連設された上蓋形成用フラップとを備える紙製包装箱が開示されている。特許文献１の紙製包装箱では、１組の対向側板の少なくとも一方の側板の上端近傍部における側板の幅方向中央部近傍に、左右対称の一対のＵ字状の切り込みを形成している。各切り込みは、相互に隣接する端に形成された折り曲げ線を有している。
【先行技術文献】
【特許文献】
【０００３】
【特許文献１】特開２００３−７２７４８号公報
【考案の概要】
【考案が解決しようとする課題】
【０００４】
特許文献１の紙製包装箱では、粘着性の高い封緘テープを用いて梱包が行われると、包装箱の開封時に切り込みおよび折り曲げ線で取り囲まれた部分が封緘テープと共に包装箱から引き剥がされてしまい、開封後に包装箱を再利用できなくなる場合がある。
【０００５】
本開示の目的は、開封後に再利用できる包装箱用のシートを提供することにある。
【課題を解決するための手段】
【０００６】
本開示の一態様のシートは、
板形状を有する周壁部材と、
前記周壁部材にそれぞれ設けられ、第１方向に沿って相互に間隔をあけて配置されている第１開封部および第２開封部と
を備え、
前記第１開封部および前記第２開封部の各々は、
折り曲げ可能に構成され、前記第１方向に沿って延びている第１罫線部と、
破断可能に構成され、前記周壁部材の厚さ方向および前記第１方向に対して交差する第２方向に沿って延びていると共に、前記第２方向の一端部が前記第１罫線部の前記第１方向の一端部に接続されている第２罫線部と、
破断可能に構成され、前記第２方向に沿って延びていると共に、前記第１方向において前記第２罫線部と間隔をあけて配置され、前記第２方向の一端部が前記第１罫線部の前記第１方向の他端部に接続されている第３罫線部と、
破断可能に構成され、前記第１方向に沿って延びていると共に、前記第２方向において前記第１罫線部と間隔をあけて配置され、前記第１方向の一端部が前記第２罫線部の前記第２方向の他端部に接続され、前記第１方向の他端部が前記第３罫線部の前記第２方向の他端部に接続されている第４罫線部と
を有し、
前記第１開封部の第１罫線部は、
前記第１方向において前記第１開封部から前記第２開封部に向かうにつれて、前記第２方向において前記第１罫線部から前記第４罫線部に向かうように傾斜し、
前記第２開封部の第１罫線部は、
前記第１方向において前記第２開封部から前記第１開封部に向かうにつれて、前記第２方向において前記第１罫線部から前記第４罫線部に向かうように傾斜している。
【考案の効果】
【０００７】
前記態様のシートによれば、再利用可能なシートを実現できる。
【図面の簡単な説明】
【０００８】
【図１】本開示の一実施形態に係るシートを示す展開図。
【図２】図１のシートの部分拡大正面図。
【図３】図１のシートを組み立てた状態の包装箱を示す斜視図。
【図４】図３の包装箱の開封部を１つ開放した状態を示す部分拡大斜視図。
【図５】図３の包装箱を封緘テープで封緘した状態を示す斜視図。
【図６】図１のシートの変形例を示す展開図。
【考案を実施するための形態】
【０００９】
以下、本考案に係る実施形態およびその変形例について、図面に基づいて詳細に説明する。
【００１０】
以下、本開示に係る実施形態および変形例について図面を参照して説明する。なお、以下の説明では、必要に応じて特定の方向あるいは位置を示す用語（例えば、「上」、「下」を含む用語）を用いるが、それらの用語の使用は図面を参照した開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１１】
本開示の一実施形態のシート１は、例えば、包装箱用のシートであり、図１に示すように、板形状の周壁部材２１と、周壁部材２１に設けられた第１開封部３１および第２開封部３２とを備える。本実施形態では、シート１は、段ボールで構成され、第１方向Ｘに沿って相互に接続された４つの周壁部材２１と、継ぎしろ２２と、外フラップ５１と、内フラップ５２とを備えている。シート１を組み立て、後述する封緘テープ７（封緘部材の一例）で封緘することによって、直方体形状の包装箱２（図３参照）が形成される。
【００１２】
各周壁部材２１は、一例として、略矩形の板形状で、短手方向が第１方向Ｘに沿って延び、長手方向が第１方向Ｘおよび周壁部材２１の厚さ方向に交差する第２方向Ｙに沿って延びるように配置されている。互いに接続されている周壁部材２１同士の境界には、第２方向Ｙに沿って延びている第１折り曲げ部２０１が設けられている。本実施形態では、シート１は、３つの第１折り曲げ部２０１を有し、各第１折り曲げ部２０１を介して第１方向Ｘに折り曲げ可能に構成されている。
【００１３】
継ぎしろ２２は、４つの周壁部材２１のうちの外側に配置されている一対の周壁部材２１の一方（例えば、図１の左端の周壁部材２１）に設けられている。継ぎしろ２２は、一例として、略矩形の板形状で、短手方向が第１方向Ｘに沿って延び、長手方向が第２方向Ｙに沿って延びるように配置されている。継ぎしろ２２は、左端の周壁部材２１の第１方向Ｘにおける第１折り曲げ部２０１とは反対側の端に配置されている。継ぎしろ２２を介して、４つの周壁部材２１の外側に配置されている一対の周壁部材２１同士が接続される。継ぎしろ２２および周壁部材２１の境界には、第２方向Ｙに沿って延びている第２折り曲げ部２０２が設けられている。シート１は、第２折り曲げ部２０２を介して第１方向Ｘに折り曲げ可能に構成されている。
【００１４】
外フラップ５１および内フラップ５２の各々は、一例として、略矩形の板形状を有し、各周壁部材２１の第２方向Ｙの両端に設けられている。
【００１５】
外フラップ５１は、第１外フラップ５１１と、第２外フラップ５１２と、第３外フラップ５１３と、第４外フラップ５１４とを有している。
【００１６】
第１外フラップ５１１は、図１において左側から１番目の周壁部材２１の第２方向Ｙの上端に設けられている。第２外フラップ５１２は、図１において左側から１番目の周壁部材２１の第２方向Ｙの下端に設けられている。第３外フラップ５１３は、図１において左側から３番目の周壁部材２１の第２方向Ｙの上端に設けられている。第４外フラップ５１４は、図１において左側から３番目の周壁部材２１の第２方向Ｙの下端に設けられている。
【００１７】
内フラップ５２は、第１内フラップ５２１と、第２内フラップ５２２と、第３内フラップ５２３と、第４内フラップ５２４とを有している。
【００１８】
第１内フラップ５２１は、図１において左側から２番目の周壁部材２１の第２方向Ｙの上端に設けられている。第１内フラップ５２１は、第１方向Ｘにおいて第１外フラップ５１１および第３外フラップ５１３の間に配置されている。第２内フラップ５２２は、図１において左側から２番目の周壁部材２１の第２方向Ｙの下端に設けられている。第２内フラップ５２２は、第１方向Ｘにおいて第２外フラップ５１２および第４外フラップ５１４の間に配置されている。第３内フラップ５２３は、図１において左側から４番目の周壁部材２１の第２方向Ｙの上端に設けられている。第４内フラップ５２４は、図１において左側から４番目の周壁部材２１の第２方向Ｙの下端に設けられている。
【００１９】
第１外フラップ５１１および第１内フラップ５２１の間と、第１内フラップ５２１および第３外フラップ５１３の間と、第３外フラップ５１３および第３内フラップ５２３の間とには、それぞれ隙間が設けられている。第２外フラップ５１２および第２内フラップ５２２の間と、第２内フラップ５２２および第４外フラップ５１４の間と、第４外フラップ５１４および第４内フラップ５２４の間とには、それぞれ隙間が設けられている。
【００２０】
外フラップ５１および周壁部材２１の境界と、内フラップ５２および周壁部材２１の境界とには、第１方向Ｘに沿って延びている第３折り曲げ部２０３がそれぞれ設けられている。シート１は、第３折り曲げ部２０３を介して第２方向Ｙに折り曲げ可能に構成されている。本実施形態では、８つの第３折り曲げ部２０３が設けられている。
【００２１】
第１開封部３１および第２開封部３２は、第１方向Ｘに沿って相互に間隔をあけて配置されている。本実施形態では、第１開封部３１および第２開封部３２は、図１に示すように、周壁部材２１の第２方向Ｙの中央よりも、周壁部材２１の第２方向Ｙの一端側に配置されていると共に、図２に示すように、第２方向Ｙに沿って延びる仮想線６に対して線対称に配置されている。仮想線６は、第１開封部３１および第２開封部３２の第１方向Ｘの中間に配置されている。
【００２２】
第１開封部３１は、第１罫線部４１１と、第２罫線部４２１と、第３罫線部４３１と、第４罫線部４４１とを有している。
【００２３】
第１罫線部４１１は、第１方向Ｘに沿って延びていると共に、第１方向Ｘおよび第２方向Ｙに対して傾斜して配置されている。詳しくは、第１罫線部４１１は、第１方向Ｘにおいて第１開封部３１から第２開封部３２に向かうにつれて、第２方向Ｙにおいて第１罫線部４１１から第４罫線部４４１に向かうように傾斜している。第１罫線部４１１は、一例として、第２罫線部４２１に対して約６０度の角度を成している。本実施形態では、第１罫線部４１１は、第１方向Ｘにおける第１罫線部４１１の中間に配置された切り込みと、切り込みに対する第１方向Ｘの両側にそれぞれ配置された第１接続部８１１および第２接続部８２１とを有している。
【００２４】
第２罫線部４２１は、第２方向Ｙに沿って延びている。第３罫線部４３１は、第２方向Ｙに沿って延びていると共に、第１方向Ｘにおいて第２罫線部４２１と間隔をあけて配置されている。本実施形態では、第３罫線部４３１は、第２罫線部４２１よりも仮想線６の近くに配置されている。図２に示すように、第２罫線部４２１は、第２方向Ｙの長さＬ１が、第２方向Ｙにおける第３罫線部４３１の長さＬ２よりも長くなるように構成されている。第２罫線部４２１および第３罫線部４３１の各々は、一例として、第２方向Ｙに沿って間隔をあけてそれぞれ配置された複数の切り込みを有している。
【００２５】
第４罫線部４４１は、第１方向Ｘに沿って延びていると共に、第２方向Ｙにおいて第１罫線部４１１と間隔をあけて配置されている。第４罫線部４４１は、一例として、第１方向Ｘに沿って間隔をあけてそれぞれ配置された複数の切り込みを有している。
【００２６】
第１罫線部４１１、第２罫線部４２１、第３罫線部４３１、および第４罫線部４４１の各々の切り込みは、例えば、４−３ミシン刃によって設けられている。
【００２７】
第１罫線部４１１の第１方向Ｘの一端部は、第２罫線部４２１の第２方向Ｙの一端部に接続されている。第１罫線部４１１の第１方向Ｘの他端部は、第３罫線部４３１の第２方向Ｙの一端部に接続されている。
【００２８】
第４罫線部４４１の第１方向Ｘの一端部は、第２罫線部４２１の第２方向Ｙの他端部に接続されている。第４罫線部４４１の第１方向Ｘの他端部は、第３罫線部４３１の第２方向Ｙの他端部に接続されている。第４罫線部４４１の第１方向Ｘの一端部および第２罫線部４２１の第２方向Ｙの他端部の接続部分と、第４罫線部４４１の第１方向Ｘの他端部および第３罫線部４３１の第２方向Ｙの他端部の接続部分とは、それぞれ湾曲している。
【００２９】
図２に示すように、第１開封部３１の周壁部材２１は、第１部分３１１と、第２部分３２１とを有している。周壁部材２１の第１部分３１１は、第１罫線部４１１、第２罫線部４２１、第３罫線部４３１、および第４罫線部４４１によって取り囲まれている。周壁部材２１の第２部分３２１は、周壁部材２１の第１部分３１１の周囲を取り囲んで配置されている。周壁部材２１の第１部分３１１および第２部分３２１は、それぞれ第１罫線部４１１の第１接続部８１１および第２接続部８２１を介して接続されている。
【００３０】
第２開封部３２は、第１罫線部４１２と、第２罫線部４２２と、第３罫線部４３２と、第４罫線部４４２とを有している。
【００３１】
第１罫線部４１２は、第１方向Ｘに沿って延びていると共に、第１方向Ｘおよび第２方向Ｙに対して傾斜して配置されている。詳しくは、第１罫線部４１２は、第１方向Ｘにおいて第２開封部３２から第１開封部３１に向かうにつれて、第２方向Ｙにおいて第１罫線部４１２から第４罫線部４４２に向かうように傾斜している。第１罫線部４１２は、一例として、第２罫線部４２２に対して約６０度の角度を成している。本実施形態では、第１罫線部４１２は、第１方向Ｘにおける第１罫線部４１２の中間に配置された切り込みと、切り込みに対する第１方向Ｘの両側にそれぞれ配置された第１接続部８１２および第２接続部８２２とを有している。
【００３２】
第２罫線部４２２は、第２方向Ｙに沿って延びている。第３罫線部４３２は、第２方向Ｙに沿って延びていると共に、第１方向Ｘにおいて第２罫線部４２２と間隔をあけて配置されている。本実施形態では、第３罫線部４３２は、第２罫線部４２２よりも仮想線６の近くに配置されている。図２に示すように、第２罫線部４２２は、第２方向Ｙの長さＬ３が、第２方向Ｙにおける第３罫線部４３２の長さＬ４よりも長くなるように構成されている。第２罫線部４２２および第３罫線部４３２の各々は、一例として、第２方向Ｙに沿って間隔をあけてそれぞれ配置された複数の切り込みを有している。
【００３３】
第４罫線部４４２は、第１方向Ｘに沿って延びていると共に、第２方向Ｙにおいて第１罫線部４１２と間隔をあけて配置されている。第４罫線部４４２は、一例として、第１方向Ｘに沿って間隔をあけてそれぞれ配置された複数の切り込みを有している。
【００３４】
第１罫線部４１２、第２罫線部４２２、第３罫線部４３２、および第４罫線部４４２の各々の切り込みは、例えば、４−３ミシン刃によって設けられている。
【００３５】
第１罫線部４１２の第１方向Ｘの一端部は、第２罫線部４２２の第２方向Ｙの一端部に接続されている。第１罫線部４１２の第１方向Ｘの他端部は、第３罫線部４３２の第２方向Ｙの一端部に接続されている。
【００３６】
第４罫線部４４２の第１方向Ｘの一端部は、第２罫線部４２２の第２方向Ｙの他端部に接続されている。第４罫線部４４２の第１方向Ｘの他端部は、第３罫線部４３２の第２方向Ｙの他端部に接続されている。第４罫線部４４２の第１方向Ｘの一端部および第２罫線部４２２の第２方向Ｙの他端部の接続部分と、第４罫線部４４２の第１方向Ｘの他端部および第３罫線部４３２の第２方向Ｙの他端部の接続部分とは、それぞれ湾曲している。
【００３７】
図２に示すように、第２開封部３２の周壁部材２１は、第１部分３１２と、第２部分３２２とを有している。周壁部材２１の第１部分３１２は、第１罫線部４１２、第２罫線部４２２、第３罫線部４３２、および第４罫線部４４２によって取り囲まれている。周壁部材２１の第２部分３２２は、周壁部材２１の第１部分３１２の周囲を取り囲んで配置されている。周壁部材２１の第１部分３１２および第２部分３２２は、それぞれ第１罫線部４１２の第１接続部８１２および第２接続部８２２を介して接続されている。
【００３８】
シート１を組み立てて包装箱２を形成する工程の一例について説明する。
【００３９】
まず、３つの第１折り曲げ部２０１および第２折り曲げ部２０２でシート１を折り曲げて、各周壁部材２１を隣接する周壁部材２１に対して相対的に回転させると共に、継ぎしろ２２を隣接する周壁部材２１に対して相対的に回転させる。この状態では、隣接する周壁部材２１同士と隣接する継ぎしろ２２および周壁部材２１とが、それぞれ約９０度の角度を成している。
【００４０】
次に、継ぎしろ２２を４つの周壁部材２１のうちの外側に配置されている一対の周壁部材２１の他方（例えば、図１の右端の周壁部材２１）に固定して、４つの周壁部材２１で構成される四角筒状体を形成する。
【００４１】
次に、シート１を第３折り曲げ部２０３で折り曲げて、第２内フラップ５２２および第４内フラップ５２４を隣接する周壁部材２１に対して相対的に回転させる。この状態では、第２内フラップ５２２および第４内フラップ５２４の先端部が互いに近接して対向している。
【００４２】
次に、シート１を第３折り曲げ部２０３で折り曲げて、第２外フラップ５１２および第４外フラップ５１４を隣接する周壁部材２１に対して相対的に回転させると共に、第２内フラップ５２２および第４内フラップ５２４の上に重ねる。この状態では、第２外フラップ５１２および第４外フラップ５１４の先端部が互いに近接して対向している。
【００４３】
次に、シート１を第３折り曲げ部２０３で折り曲げて、第１内フラップ５２１および第３内フラップ５２３を隣接する周壁部材２１に対して相対的に回転させる。この状態では、第１内フラップ５２１および第３内フラップ５２３の先端部が互いに近接して対向している。
【００４４】
次に、シート１を第３折り曲げ部２０３で折り曲げて、第１外フラップ５１１および第３外フラップ５１３を隣接する周壁部材２１に対して相対的に回転させると共に、第１内フラップ５２１および第３内フラップ５２３の上に重ねる。この状態では、第１外フラップ５１１および第３外フラップ５１３の先端部が互いに近接して対向している。このようにシート１を組み立てることによって、図３に示す包装箱２が形成される。
【００４５】
最後に、第１外フラップ５１１の先端部および第３外フラップ５１３の先端部の境界を覆うように包装箱２を封緘部材で封緘し、第２外フラップ５１２の先端部および第４外フラップ５１４の先端部の境界を覆うように包装箱２を封緘部材で封緘する（図５参照）。
【００４６】
図２に示すように、本実施形態では、第１開封部３１および第２開封部３２の各々は、第１方向Ｘにおける第１開封部３１の第２罫線部４２１から第２開封部３２の第２罫線部４２２までの長さＬ５が、第１方向Ｘにおける第１開封部３１の第３罫線部４３１から第２開封部３２の第３罫線部４３２までの長さＬ６よりも長くなるように構成されている。
【００４７】
例えば、第１開封部および第２開封部が、次に示す位置に配置されていたとする。
・第１罫線部の第２方向Ｙにおいて第４罫線部から最も離れた部分から、最も近い周壁部材２１の第２方向Ｙの端（例えば、図１の上端）までの距離が約３ｍｍ。
・第２罫線部の第２方向Ｙの長さが約３５ｍｍ。
・第４罫線部の第１方向Ｘの長さが約３５ｍｍ。
この場合、Ｌ５が約９０ｍｍとなり、Ｌ６が約２０ｍｍとなる。一般的な封緘テープの幅が約５０ｍｍであることから、封緘テープ７の幅方向の両端は、第１開封部３１および第２開封部３２と重なって配置される。第１開封部３１と重なっている封緘テープ７の幅方向の一端は、第１罫線部４１１の中間および第４罫線部４４１の中間と交差する。第２開封部３２と重なっている封緘テープ７の幅方向の他端は、第１罫線部４１２の中間および第４罫線部４４２の中間と交差する。つまり、包装箱２を封緘する際に封緘テープが第１方向Ｘにずれたとしても、周壁部材２１の第１部分３１１、３１２の一部を封緘テープで覆うことができる。
【００４８】
第２開封部３２の周壁部材２１の第１部分３１２が開放された状態のシート１を図４に示す。図４のシート１では、第２開封部３２の第２罫線部４２２、第３罫線部４３２、および第４罫線部４４２が破断されている。第２開封部３２の周壁部材２１の第１部分３１２は、第１罫線部４１２の第１接続部８１２および第２接続部８２２を介して第２開封部３２の周壁部材２１の第２部分３２２に接続され、第１罫線部４１２まわりに第２開封部３２の周壁部材２１の第２部分３２２に対して相対的に回転している。
【００４９】
例えば、封緘テープ７によって封緘されている包装箱２の第２開封部３２の第１部分３１２を押して開放することによって、封緘テープ７の第１部分３１２に重なっていた部分を掴むことができる。
【００５０】
シート１は、次のような効果を発揮できる。
【００５１】
シート１が、板形状を有する周壁部材２１と、周壁部材２１にそれぞれ設けられ、第１方向Ｘに沿って相互に間隔をあけて配置されている第１開封部３１および第２開封部３２とを備える。第１開封部３１は、折り曲げ可能に構成され、第１方向Ｘに沿って延びている第１罫線部４１１を有する。第２開封部３２は、折り曲げ可能に構成され、第１方向Ｘに沿って延びている第１罫線部４１２を有する。第１開封部３１および第２開封部３２の各々は、破断可能に構成され、周壁部材２１の厚さ方向および第１方向Ｘに対して交差する第２方向Ｙに沿って延びている第２罫線部４２１，４２２を有する。第２罫線部４２１，４２２は、第２方向Ｙの一端部が第１罫線部４１１，４１２の第１方向Ｘの一端部に接続されている。第１開封部３１および第２開封部３２の各々は、破断可能に構成され、第２方向Ｙに沿って延びていると共に、第１方向Ｘにおいて第２罫線部４２１，４２２と間隔をあけて配置されている第３罫線部４３１，４３２を有する。第３罫線部４３１，４３２は、第２方向Ｙの一端部が第１罫線部４１１，４１２の第１方向Ｘの他端部に接続されている。第１開封部３１および第２開封部３２の各々は、破断可能に構成され、第１方向Ｘに沿って延びていると共に、第２方向Ｙにおいて第１罫線部４１１，４１２と間隔をあけて配置されている第４罫線部４４１，４４２を有する。第４罫線部４４１，４４２は、第１方向Ｘの一端部が第２罫線部４２１，４２２の第２方向Ｙの他端部に接続され、第１方向Ｘの他端部が第３罫線部４３１，４３２の第２方向Ｙの他端部に接続されている。第１開封部３１の第１罫線部４１１は、第１方向Ｘにおいて第１開封部３１から第２開封部３２に向かうにつれて、第２方向Ｙにおいて第１罫線部４１１から第４罫線部４４１に向かうように傾斜している。第２開封部３２の第１罫線部４１２は、第１方向Ｘにおいて第２開封部３２から第１開封部３１に向かうにつれて、第２方向Ｙにおいて第１罫線部４１２から第４罫線部４４２に向かうように傾斜している。
【００５２】
一般に、段ボールは、中芯を有する。中芯は、本実施形態の第１方向Ｘおよび第２方向Ｙの一方に沿って延びると共に第１方向Ｘおよび第２方向Ｙの他方に連続して配置されている複数の溝状体によって構成される。段ボールは、中芯が延びる方向（以下、段目方向という。）に沿って破断しやすい。このため、段目方向に沿って折り曲げ線が形成される場合、包装箱の開封時に段ボールの一部が封緘テープと共に包装箱から引き剥がされて破断してしまうおそれがある。シート１では、段目方向が第１方向Ｘまたは第２方向Ｙに沿った方向であっても、第１罫線部４１１，４１２が段目方向に対して傾斜して配置される。さらに、第２罫線部４２１，４２２、第３罫線部４３１，４３２、および第４罫線部４４１，４４２のいずれか段目方向に沿って配置される。つまり、第１開封部および第２開封部の各々が、折り曲げ可能な第１罫線部については、破断し難く、破断可能な第２罫線部、第３罫線部または第４罫線部については、破断し易くなるように構成されている。これにより、包装箱２の開封時に、第１罫線部４１１，４１２、第２罫線部４２１，４２２、第３罫線部４３１，４３２、および第４罫線部４４１，４４２により囲まれた周壁部材２１の第１部分３１１，３１２が、封緘テープ７と共に包装箱２から引きはがされるのを防止して、再利用可能なシート１を実現できる。
【００５３】
また、第２罫線部４２１，４２２、第３罫線部４３１，４３２、および第４罫線部４４１，４４２を破断させて、周壁部材２１の第１部分３１１，３１２を第２部分３２１，３２２に対して回転させることによって、包装箱２が開封されたか否かを確認することができる。
【００５４】
また、第１開封部３１および第２開封部３２は、第２方向Ｙに沿って延びると共に第１開封部３１および第２開封部３２の第１方向Ｘの中間に配置された仮想線６に対して線対称に配置されている。このような構成により、ユーザの左右の利き腕に影響されずに封緘テープ７を掴むことができる。
【００５５】
ところで、第１開封部の第１罫線部および第２開封部の第１罫線部の両方が封緘テープで覆われている場合、周壁部材の第１部分を第２部分に対して相対的に回転させると、各開封部の第１罫線部が段目に沿って折れ曲がってしまうことがある。この場合、封緘テープを掴むために十分なスペースを確保できない場合がある。シート１では、第１方向Ｘにおける第１開封部３１の第２罫線部４２１から第２開封部３２の第２罫線部４２２までの長さＬ５は、封緘に用いられる封緘テープ７の幅方向の長さＬ７（図５参照）よりも長い。第１方向Ｘにおける第１開封部３１の第３罫線部４３１から第２開封部３２の第３罫線部４３２までの長さＬ６は、封緘テープ７の幅方向の長さＬ７よりも短くなっている。このため、封緘テープ７のシート１からの引き剥がしを容易に行える。また、包装箱２を封緘するとき、封緘テープ７の幅方向の端部が所望の位置からずれても、封緘テープ７を第１開封部３１および第２開封部３２の少なくとも１つに重ねて接着しやすくできる。
【００５６】
また、第１罫線部４１１，４１２は、第１方向Ｘにおける第１罫線部４１１，４１２の中間に配置された切り込みと、切り込みに対する第１方向Ｘの両側にそれぞれ配置された第１接続部８１１，８１２および第２接続部８２１，８２２とを有している。周壁部材２１の第１罫線部４１１，４１２、第２罫線部４２１，４２２、第３罫線部４３１，４３２、および第４罫線部４４１，４４２によって取り囲まれた第１部分３１１，３１２が、周壁部材２１の第１部分３１１，３１２の周囲を取り囲む第２部分３２１，３２２に対して第１接続部８１１，８１２および第２接続部８２１，８２２を介して接続されている。このような構成により、第１罫線部４１１，４１２を容易に折り曲げることができる。
【００５７】
また、第２罫線部４２１，４２２および第３罫線部４３１，４３２の各々は、第２方向Ｙに沿って間隔をあけて配置された複数の切り込みを有している。第４罫線部４４１，４４２は、第１方向Ｘに沿って間隔をあけてそれぞれ配置された複数の切り込みを有している。このような構成により、第２罫線部４２１，４２２、第３罫線部４３１，４３２、および第４罫線部４４１，４４２を容易に破断させることができる。
【００５８】
また、第１開封部３１および第２開封部３２は、周壁部材２１の第２方向Ｙの中央よりも、周壁部材２１の第２方向Ｙの一端側に配置されている。このような構成により、第１開封部３１および第２開封部３２と封緘テープ７とが重なるように包装箱２を容易に封緘できる。
【００５９】
また、第１罫線部４１１，４１２は、第２罫線部４２１，４２２または第３罫線部４３１，４３２に対して５５度以上かつ７０度以下の角度、より好ましくは６０度の角度を成している。この構成によれば、周壁部材２１の第１部分３１１，３１２を第１罫線部４１１，４１２で折り曲げる際、段目方向および第３折り曲げ部２０３から受ける影響を抑制できる。その結果、周壁部材２１の第１部分３１１，３１２を第１罫線部４１１，４１２の位置でより確実に折り曲げることができる。また、この構成によれば、周壁部材２１の第１部分３１１，３１２と封緘テープ７との接着面積を適度に確保することができる。その結果、周壁部材２１の第１部分３１１，３１２を開放したとき、封緘テープ７の第１部分３１１，３１２から剥がされた部分を掴みやすくすることができる。
【００６０】
シート１は、次のように構成することもできる。
【００６１】
シート１は、複数組の第１開封部３１および第２開封部３２を備える任意の構成を採用できる。
【００６２】
シート１は、複数組の第１開封部３１および第２開封部３２を備えてもよい。例えば、図６のシート１では、第１組の第１開封部３１および第２開封部３２と、第２組の第１開封部３１および第２開封部３２とは、同一の周壁部材２１に設けられている。第１組の第１開封部３１および第２開封部３２は、周壁部材２１の第２方向Ｙの中央よりも、周壁部材２１の第２方向Ｙの一端側に配置されている。第２組の第１開封部３１および第２開封部３２は、周壁部材２１の第２方向Ｙの中央よりも、周壁部材２１の第２方向Ｙの他端側に配置されている。図６のシート１では、一例として、第１組の第１開封部３１および第２開封部３２と、第２組の第１開封部３１および第２開封部３２とは、周壁部材２１の第２方向Ｙの中央に配置されかつ第１方向Ｘに延びる仮想線（図示せず）に対して線対称に配置されている。つまり、組み立て後の包装箱２に収容される内容部に応じてシート１に設けられる開封部の数および位置を適宜変更することができる。
【００６３】
第１組の第１開封部３１および第２開封部３２と、第２組の第１開封部３１および第２開封部３２とは、同一の周壁部材２１内に配置される場合に限定されない。例えば、直方体形状の包装箱２において対向する一対の周壁部材２１の第２方向Ｙの一端側に１組ずつ配置されてもよい。
【００６４】
封緘部材は、封緘テープ７に限定されない。例えば、クラフトテープまたは布テープでもよい。
【００６５】
第１開封部３１および第２開封部３２の各々の寸法および位置は、前記実施形態に限らず、用いる封緘テープ７の寸法および材料、周壁部材２１の寸法および材料等に応じて、任意に設定できる。
【００６６】
周壁部材２１は、板形状であればよく、前記実施形態に限定されない。周壁部材２１は、例えば、長手方向が第１方向Ｘに沿って延び、短手方向が第２方向Ｙに沿って延びるように配置された略矩形状であってもよい。
【００６７】
第２罫線部４２１，４２２および第３罫線部４３１，４３２の各々は、第２方向Ｙに沿って間隔をあけてそれぞれ配置された複数の切り込みを有している場合に限定されない。例えば、第２方向Ｙに沿って延びる１つの切り込みを有していてもよい。
【００６８】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００６９】
本開示のシートは、例えば、再利用して封緘および開封を繰り返す包装箱用のシートに有用である。
【符号の説明】
【００７０】
Ｘ    第１方向
Ｙ    第２方向
１    シート
２    包装箱
２１    周壁部材
２２    継ぎしろ
２０１    第１折り曲げ部
２０２    第２折り曲げ部
２０３    第３折り曲げ部
３１    第１開封部
３２    第２開封部
３１１    第１開封部の周壁部材の第１部分
３１２    第２開封部の周壁部材の第１部分
３２１    第１開封部の周壁部材の第２部分
３２２    第２開封部の周壁部材の第２部分
４１１    第１開封部の第１罫線部
４１２    第２開封部の第１罫線部
４２１    第１開封部の第２罫線部
４２２    第２開封部の第２罫線部
４３１    第１開封部の第３罫線部
４３２    第２開封部の第３罫線部
４４１    第１開封部の第４罫線部
４４２    第２開封部の第４罫線部
５１１    第１外フラップ
５１２    第２外フラップ
５１３    第３外フラップ
５１４    第４外フラップ
５２１    第１内フラップ
５２２    第２内フラップ
５２３    第３内フラップ
５２４    第４内フラップ
６    仮想線
７    封緘テープ
８１１    第１開封部の第１接続部
８１２    第２開封部の第１接続部
８２１    第１開封部の第２接続部
８２２    第２開封部の第２接続部
Ｌ１    第１開封部の第２罫線部の第２方向の長さ
Ｌ２    第１開封部の第３罫線部の第２方向の長さ
Ｌ３    第２開封部の第２罫線部の第２方向の長さ
Ｌ４    第２開封部の第３罫線部の第２方向の長さ
Ｌ５    第１方向における第１開封部の第２罫線部から第２開封部の第２罫線部までの長さ
Ｌ６    第１方向における第１開封部の第３罫線部から第２開封部の第３罫線部までの長さ
Ｌ７    封緘テープの幅方向の長さ
【図１】
0003234405.tif 000003
【図２】
0003234405.tif 000004
【図３】
0003234405.tif 000005
【図４】
0003234405.tif 000006
【図５】
0003234405.tif 000007
【図６】
0003234405.tif 000008